(57)【要約】【課題】複数の機能を起動している際に、表示部に表示されていない機能が終了することを、ユーザーが認識することができる携帯端末装置を提供する。【解決手段】少なくとも表示部１０と操作部１２とを有し、該操作部の操作によって複数の機能を起動させることが可能な携帯端末装置であって、少なくとも音、光又は振動のいずれか１つによってユーザーに報知する報知部１６と、前記複数の機能が起動している際に最後に起動された機能に関する情報を前記表示部に表示させると共に、前記複数の機能の起動中に前記最後に起動された機能以外の機能が終了したとき、前記報知部を動作させるように制御する制御部１８とを備えるようにした。【選択図】        図１
2004357139.tif 000002
【特許請求の範囲】
【請求項１】
少なくとも表示部と操作部とを有し、該操作部の操作によって複数の機能を起動させることが可能な携帯端末装置であって、
少なくとも音、光又は振動のいずれか１つによってユーザーに報知する報知部と、
前記複数の機能が起動している際に最後に起動された機能に関する情報を前記表示部に表示させると共に、前記複数の機能の起動中に前記最後に起動された機能以外の機能が終了したとき、前記報知部を動作させるように制御する制御部とを備えることを特徴とする携帯端末装置。
【請求項２】
少なくとも表示部と操作部とを有し、該操作部の操作によって複数の機能を起動させることが可能な携帯端末装置であって、
前記複数の機能が起動している際に最後に起動された機能に関する情報を前記表示部に表示させると共に、前記複数の機能の起動中に前記最後に起動された機能以外の機能を終了させるような操作が行われたとき、当該機能を終了させるか否かを確認する確認画面を前記表示部に表示させるように制御する制御部を備えることを特徴とする携帯端末装置。
【発明の詳細な説明】
【０００１】
【発明の属する技術分野】
本発明は、通話機能、データ送受信機能、電話帳機能、通信履歴表示機能、撮像機能、音楽再生機能、ゲーム機能等の複数の機能を利用することができる携帯端末装置に関するもので、特に、これら複数の機能を起動することのできる携帯端末装置に関するものである。
【０００２】
【従来の技術】
従来の携帯端末装置には、通話機能、電子メール等のデータ送受信機能、電話帳機能、通信履歴表示機能、撮像機能、音楽再生機能、ゲーム機能等の複数の機能を備えたものがある。
【０００３】
そして、このような携帯端末装置には、これら複数の機能を起動させることができるようにしたものがあった。例えば、通話機能により通話している最中に、電話帳機能を起動して表示部に電話番号等を表示させるようにすることができるようにしたものがある（特許文献１）。
【０００４】
また、このような携帯端末装置では、通常、機能が起動すると、操作案内や選択項目、或いは、処理手続の途中経過や結果等、その機能に関する情報を表示部に表示するようになっている。例えば、データ送受信機能を起動し、データのダウンロードの処理手続を実行すると、表示部にはダウンロード中である旨の表示を行うようになっている。
【０００５】
一方、このようなデータ送受信機能を起動している最中に、後から音楽再生機能も起動して両機能を同時に利用する、といった場合には、後から起動した音楽再生機能に関する情報の表示が優先されて行われるため、表示部にダウンロード中である旨の表示は行われず、再生する曲目を選択するためのリストが表示される。
【０００６】
【特許文献１】
特開２００２−３５４１０１号公報
【０００７】
【発明が解決しようとする課題】
しかしながら、このような携帯端末装置において、複数の機能を起動している場合は、これら機能のうち最後に起動した機能に関する情報が表示部に表示されるため、最後に起動した機能を終了すれば表示部で確認ができるが、最後に起動した機能を終了していない状態で誤って操作キーを押してしまい、最後に起動した機能以外の機能が終了してしまうと、ユーザーはこれを確認することができないという課題があった。
【０００８】
【発明の目的】
そこで、本発明は、上記課題に鑑みて、複数の機能を起動している際に、表示部に表示されていない機能が終了することを、ユーザーが認識することができる携帯端末装置を提供することを目的とする。
【０００９】
【課題を解決するための手段】
上記課題を解決するために、請求項１に係る発明は、
少なくとも表示部と操作部とを有し、該操作部の操作によって複数の機能を起動させることが可能な携帯端末装置であって、
少なくとも音、光又は振動のいずれか１つによってユーザーに報知する報知部と、
前記複数の機能が起動している際に最後に起動された機能に関する情報を前記表示部に表示させると共に、前記複数の機能の起動中に前記最後に起動された機能以外の機能が終了したとき、前記報知部を動作させるように制御する制御部とを備えることを特徴とする。
【００１０】
請求項２に係る発明は、
少なくとも表示部と操作部とを有し、該操作部の操作によって複数の機能を起動させることが可能な携帯端末装置であって、
前記複数の機能が起動している際に最後に起動された機能に関する情報を前記表示部に表示させると共に、前記複数の機能の起動中に前記最後に起動された機能以外の機能を終了させるような操作が行われたとき、当該機能を終了させるか否かを確認する確認画面を前記表示部に表示させるように制御する制御部を備えることを特徴とする。
【００１１】
【発明の実施の形態】
以下、本発明に係る携帯端末装置の実施の形態について、図面に基づいて具体的に説明する。図１は、本発明の携帯端末装置の一例である携帯電話機の回路構成を示すブロック図である。図２は、図１に示す携帯電話機の第一の動作手順を示すフローチャートである。
【００１２】
この携帯電話機２は、通話機能、電子メール等のデータ送受信機能、電話帳機能、通信履歴表示機能、撮像機能、音楽再生機能、ゲーム機能等の複数の機能を備えており、これらの機能を同時に利用することができるようになっている。
【００１３】
図１を参照すると、携帯電話機２は、アンテナ５を有する無線部４、スピーカー６、マイクロホン８、表示部１０、操作部１２、撮像部１４、報知部１６、及びこれらを制御する制御部１８を備えている。
【００１４】
無線部４は、電子メール等のデータの送受信、及びスピーカー６やマイクロホン８を用いての通話を行うための通信を行うようになっている。
【００１５】
表示部１０は、ＬＣＤ（液晶ディスプレイ）等の表示装置であり、携帯電話機２が備える各種の機能に関する情報やメニュー画面、待受け画面等を表示するようになっている。
【００１６】
操作部１２には、テンキー、十字キー、発信キー、オフフックキー、オンフックキー、各種ファンクションキー等が備えられている。ここで、十字キーとは、表示部１０に選択項目が表示されたとき、その選択項目を指定するのに、例えば、表示画面中のカーソルを上下左右に移動させるような場合に用いるものである。
【００１７】
撮像部１４には、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ―Ｍｅｔａｌ―Ｏｘｉｄｅ―Ｓｅｍｉｃｏｎｄｕｃｔｏｒ）等の撮像素子が用いられており、静止画や動画の撮影をすることができるようになっている。また、撮像部１４により撮影した静止画や動画は、表示部１０に表示することができるようになっている。
【００１８】
また、携帯電話機２は、報知部１６として、報知音発生部１６ａ、振動発生部１６ｂ（バイブレーター）、及びＬＥＤ（発光ダイオード）等の光源１６ｃをそれぞれ備えており、これらのいずれかに動作を行わせるかどうかについて、ユーザーが設定することができるようになっている。
【００１９】
また、制御部１８は、携帯電話機２に備わるいずれの機能も起動していない待受け状態のときは、表示部１０に待受け画面を表示させるようになっており、操作部１２からの操作に応じて、携帯電話機２に備わる機能を起動させることができるようになっている。例えば、通話機能であれば、テンキーを操作して電話番号を入力したあと、発信キーを押すと起動し、また、データ送受信機能であれば、所定のキーを押下してメニュー画面を表示させ、このメニュー画面中の選択項目から選択することで起動する。
【００２０】
さらに、制御部１８は、携帯電話機２に備わるいずれかの機能を起動すると、その機能に関する情報を表示部１０に表示させることができると共に、このとき、新たにユーザーが操作部１２を操作して他の機能を起動させると、後から起動した機能に関する情報を優先して表示部１０に表示させるようになっている。即ち、複数の機能を起動させた場合、最後に起動させた機能に関する情報が表示部１０に表示される。
【００２１】
例えば、通話機能による通話中のときは、表示部１０には通話中である旨が表示されているが、この状態でユーザーが操作部１２を操作して電話帳機能を起動した場合は、後から起動した電話帳機能に関する表示が優先され、表示部１０には電話帳機能の画面が表示される。
【００２２】
次に、図２のフローチャートに基づいて、携帯電話機２が有する第一の動作手順について説明する。
【００２３】
図２おいて、携帯電話機２のいずれの機能も利用されていない待受け状態（ステップＳ１のＮＯ）においては、表示部１０に待受け画面を表示するようになっている。この状態から、例えば、ユーザーが操作部１２中のテンキーを操作して電話番号を入力し、発信キーを押すと、通話を行うことができる通話機能が第１の機能として起動する（ステップＳ１のＹＥＳ）。
【００２４】
通話機能が起動すると、基地局への電波の送信、通話の確立、通話機能に関する情報の表示部１０への表示等の処理手続が実行される。
【００２５】
このような通話機能の処理手続を実行中に通話機能を終了させると（ステップＳ３のＹＥＳ）、ステップＳ１以前の初期の状態（待受け状態）に戻って、表示部１０には待受け画面が表示されるようになっている。
【００２６】
一方、通話機能の起動中に、ユーザーが操作部１２を操作して、複数の機能の中から、例えば、電話帳機能を起動すると、これが第２の機能として起動すると共に、表示部１０の表示を切り換えて、電話帳機能に関する情報が表示部１０に表示される（ステップＳ４のＹＥＳ）。
【００２７】
即ち、電話帳機能と通話機能の両機能が実行されている状態となる（ステップＳ５）。
【００２８】
このとき、通話機能と電話帳機能の両方が起動していることになるが、表示部１０には電話帳機能に関する情報が表示されているため、ユーザーは、通話を継続しながら、表示部１０に表示された情報を閲覧したり、操作したりすることができる。
【００２９】
次に、通話機能と電話帳機能が起動しているときに、第１の機能である通話機能が終了した場合には（ステップＳ６のＹＥＳ）、報知部１６を動作させるようになっている。この時、報知部１６は、報知音発生部１６ａからの音、振動発生部１６ｂによる振動、又は光源１６ｃからの光のいずれか１つ、或いは、これらを組み合わせて一定時間作動し、ユーザーに第１の機能である通話機能が終了したことを報知するようになっている（ステップＳ７）。なお、このとき、電話帳機能は起動したままであるが、その処理手続の実行について何ら支障をきたすことはない。
【００３０】
そして、電話帳機能のみが起動している状態（ステップＳ８のＮＯ）から、電話帳機能を終了したときには（ステップＳ８のＹＥＳ）、ステップＳ１以前の状態（待受け状態）に戻って表示部１０には待受け画面が表示されるようになっている。
【００３１】
また、通話機能と電話帳機能が起動しているときに（ステップＳ５）、第２の機能である電話帳機能を終了させた場合（ステップＳ９のＹＥＳ）には、表示部１０に再度、通話機能に関する情報を表示させて、ステップＳ２の以前の状態に戻る。
【００３２】
そして、このまま通話機能が終了した場合には（ステップＳ３のＹＥＳ）、ステップＳ６で通話機能が終了した場合とは異なり、表示部１０の画面表示が待受け画面となるため、ユーザーは通話機能が終了したことを容易に認識することができる。なお、ステップＳ７と同様に、報知部１６を動作させるようにしても良く、この場合、報知の手段をステップＳ６とは異ならせることが好ましい。
【００３３】
以上のような携帯電話機２によれば、複数の機能を起動している際に、表示部１０に表示されていない機能が終了したときに、少なくとも音、光又は振動によりユーザーに報知することができるため、表示部１０に表示されていない機能が誤って終了した場合でも、それを容易に確認することができる。
【００３４】
また、表示部１０に表示されていない機能が終了したことをユーザーが確実に認識できるので、起動したまま放置してしまい、電力を無駄に消費してしまうといったことも防止することができる。
【００３５】
次に、図３のフローチャートに基づいて、携帯電話機２が有する第二の動作手順について説明する。
【００３６】
図３おいて、ステップＳ１〜Ｓ５までは第一の動作手順と同様である。即ち、携帯電話機２に備わる複数の機能のうち、例えば、第１の機能としての通話機能と第２の機能としての電話帳機能を起動させると、後から起動させた電話帳機能に関する情報が表示部１０に表示されるようになっており、ユーザーは、表示部１０に表示された情報を見ながら電話帳機能についての操作を行うことができる（ステップＳ１〜Ｓ５）。
【００３７】
次に、通話機能と電話帳機能が起動しているときに、ユーザーが操作部１２を操作して、第１の機能としての通話機能を終了させるような操作を行った場合には（ステップＳ６のＹＥＳ）、本当に通話機能を終了させるのか否かをユーザーに確認するための確認画面が、表示部１０に表示されるようになっている（ステップＳ７）。
【００３８】
図４は、表示部１０に表示される、この確認画面の一例である。これによると、電話帳機能に関する情報（Ｐ１）が表示されているところに、通話機能を終了させる操作が行われ、通話機能を本当に終了させるのか否かをユーザーに確認する確認画面（Ｐ２）が、Ｐ１にオーバーラップして表示されている。
【００３９】
そして、図４の確認画面から、ユーザーが「ＹＥＳ」を選択し、第１の機能としての通話機能を終了させる操作を行うと（図３中、ステップＳ８のＹＥＳ）、通話機能は終了し、ステップＳ１以前の状態（待受け状態）に戻って表示部１０には待受け画面が表示されるようになっている。
【００４０】
また、図４の確認画面から、ユーザーが「ＮＯ」を選択し、第２の機能としての電話帳機能を終了させない操作を行うと（ステップＳ６のＮＯ）、通話機能と共に電話帳機能は動作したまま継続して実行される。
【００４１】
また、通話機能と電話帳機能が起動しているときに（ステップＳ５）、第２の機能である電話帳機能を終了させる操作をした場合（ステップＳ９のＹＥＳ）には、表示部１０に再度通話機能に関する情報を表示させて、ステップＳ２以前の状態に戻る。
【００４２】
そして、このまま通話機能が終了した場合には（ステップＳ３のＹＥＳ）、ステップＳ６で通話機能を終了させた場合とは異なり、表示部１０の画面表示が待受け画面となるため、ユーザーは、通話機能が終了したことを用意に確認することができる。なお、ステップＳ６と同様に、通話機能を終了させるか否かを確認する確認画面を表示させるようにしても良い。
【００４３】
以上のような携帯電話機２によれば、複数の機能を起動している際に、表示部１０に表示されていない機能を終了させる操作が行われたときに、当該機能を終了させるか否かの確認画面が表示されてユーザーに選択させるようになっているので、表示部１０に表示されていない機能を誤操作等により誤って終了させてしまうといったことを防ぐことができる。
【００４４】
なお、上述した実施の形態においては、第１の機能として通話機能を、第２の機能として電話帳機能を、それぞれ起動させる例を示したが、これに限らず、携帯電話機２が有する様々な他の機能を、第１の機能及び第２の機能として起動させ得るのは言うまでもない。
【００４５】
例えば、第１の機能として通話機能を起動し、第２の機能として通信履歴表示機能を起動してもよく、また、第１の機能として音楽再生機能を起動し、第２の機能としてデータ送受信機能を起動してもよい。
【００４６】
また、上述した実施の形態においては、２つの機能を起動する例で説明したが、３つ以上の機能を起動させる場合についても、本発明を適用することができることは言うまでもない。
【００４７】
また、上述した実施の形態においては、第１の機能が終了したことを報知する報知部１６の動作は、報知音発生部１６ａ、振動発生部１６ｂ、又は光源１６ｃのいずれか１つ、或いは、これらが組み合わされて一定時間動作するようになっているが、種々の変形が考えられ、例えば、第１の機能の種類ごとに異なる態様で報知させるようにしてもよい。
【００４８】
さらに、上述した実施の形態においては、本発明を携帯電話機に適用した場合について説明したが、本発明はＰＤＡ（Ｐｅｒｓｏｎａｌ  Ｄｉｇｉｔａｌ  Ａｓｓｉｓｔａｎｔ）等の他の種類の携帯端末装置にも同様に適用し得ることは言うまでもない。
【００４９】
【発明の効果】
本発明によれば、複数の機能を起動している際に、表示部に表示されていない機能が終了することを、ユーザーが認識することができる。
【図面の簡単な説明】
【図１】本発明の携帯端末装置の一例である携帯電話機の回路構成を示すブロック図である。
【図２】図１に示す携帯電話機の第一の動作手順を示すフローチャートである。
【図３】図１に示す携帯電話機の第二の動作手順を示すフローチャートである。
【図４】本発明の携帯端末装置の一例である携帯電話機の画面表示の一例を示す概略図である。
【符号の説明】
２  携帯電話機
４  無線部
６  スピーカー
８  マイクロホン
１０  表示部
１２  操作部
１４  撮像部
１６  報知部
１６ａ  報知音発生部
１６ｂ  振動発生部
１６ｃ  光源
【図１】
2004357139.tif 000003
【図２】
2004357139.tif 000004
【図３】
2004357139.tif 000005
【図４】
2004357139.tif 000006